(57)【要約】【課題】採取口を油圧シリンダにより開閉する構造では、採取器を目的深さ位置まで下げるのに併せ、油圧ホース等を同時に送る必要があり、採取作業が面倒であるという課題がある。また、油圧ホース等を掘削ロッドに組み込むと、特殊な掘削ロッドが必要になって、コストが高くなるという課題がある。【解決手段】  中空円筒部材により形成したケース２の内側に回収室３を設け、回収室３の採取口４を開閉する開閉部材５をケース２内に上下自在に設け、ケース２内には開閉部材５を機械的機構により上昇または下降させて採取口４の開閉を行う切替操作機構１０を設け、該切替操作機構１０は、開閉部材５を上方または下方に付勢するバネ１８と、ワイヤー２７により自重下降して開閉部材５を上昇または下降させるシンカー２５とを有して構成した未固化液回収装置。【選択図】図２
2019019468.tif 000002
【特許請求の範囲】
【請求項１】
中空円筒部材により形成したケース２の内側に回収室３を設け、回収室３の採取口４を開閉する開閉部材５をケース２内に上下自在に設け、ケース２内には開閉部材５を機械的機構により上昇または下降させて採取口４の開閉を行う切替操作機構１０を設け、該切替操作機構１０は、開閉部材５を上方または下方に付勢するバネ１８と、ワイヤー２７により自重下降して開閉部材５を上昇または下降させるシンカー２５とを有して構成した未固化液回収装置。
【請求項２】
請求項１において、前記シンカー２５は、開閉部材５側の係合部材１３に係合してバネ１８の弾力に抗して開閉部材５を上昇させる構成とした未固化液回収装置。
【請求項３】
請求項２において、前記開閉部材５は円筒部６と円筒部６に取付けたカバーロッド８により構成し、カバーロッド８の上部には前記係合部材１３を有する中間筒部１１の下部を取付け、係合部材１３を設けた中間筒部１１の上部を前記バネ１８が常時下方に付勢する構成とし、前記バネ１８の弾力に抗して下降する重量に形成したシンカー２５は、一旦下降して前記係合部材１３を下方回動させて係合し、係合状態のシンカー２５を上昇させてバネ１８の弾力に抗して開閉部材５を上昇させる構成とした未固化液回収装置。
【請求項４】
請求項３において、前記ワイヤー２７にはシンカー２５の上部に一体状に接合してシンカー２５と係合部材１３との係合を解除する回収用シンカー２６を設けた未固化液回収装置。
【請求項５】
請求項１において、前記開閉部材５側の上部に設けた上下移動体３７をケース２内を上下移動自在に設け、前記ケース２内に位置不動に設けた支持部材３８と前記上下移動体３７の間に前記開閉部材５を常時上昇方向に付勢する前記バネ１８を設け、前記シンカー２５はバネ１８の弾力に抗して下降する重量に構成した未固化液回収装置。
【請求項６】
中空円筒部材により内側に回収室３を設けたケース２と、ケース２の内側に上下自在に設けた開閉部材５と、開閉部材５を上下させてケース２の採取口４を閉塞状態と開口状態とに切替える採取用シンカー２５と回収用シンカー２６を有して未固化液採取装置１を構成し、開閉部材５を採取口４の内側にバネ１８の弾力により位置させて採取口４を閉塞し、開閉部材５側に設けた筒状の中間筒部１１に軸棒状の採取用シンカー２５を、ウインチ２８が繰り出したワイヤー２７により吊設状態で下降させて挿入し、採取用シンカー２５の係合部を開閉部材５側に設けた係合部材１３に係合させ、係合部材１３に係合状態の採取用シンカー２５をワイヤー２７により牽引上昇させて、開閉部材５をバネ１８の弾力に抗して上昇させることにより採取口４を開口させ、ケース２の回収室３に未固化液を流入させて回収し、次に、ウインチ２８が繰り出したワイヤー２７に別途用意して装着した回収用シンカー２６を下降させて中間筒部１１内に挿入し、回収用シンカー２６に採取用シンカー２５を一体状に接合させて回収用シンカー２６と係合部材１３との係合を解除して、バネ１８の弾力により開閉部材５を下降させて採取口４を閉塞し、この状態で、未固化液採取装置１全体を地盤から上昇させて、未固化液を回収する未固化液回収方法。
【請求項７】
中空円筒部材により内側に回収室３を設けたケース２と、ケース２の内側に上下自在に設けた開閉部材５と、開閉部材５を上下させてケース２の採取口４を閉塞状態と開口状態とに切替えるシンカー２５を有して未固化液採取装置１を構成し、バネ１８の弾力により開閉部材５を常時上昇するように付勢して、ケース２の採取口４を閉塞し、次に、シンカー２５をワイヤー２７により自重で下降させて、開閉部材５側の上部に設けた上下移動体３７に当接させ、バネ１８の弾力より重いシンカー２５の重量によりシンカー２５と開閉部材５とを下降させて、採取口４を開口させ、未固化液を回収室３内に回収し、次に、シンカー２５をワイヤー２７により上方に牽引して、バネ１８の弾力により上下移動体３７を上昇させ、上下移動体３７の上昇により開閉部材５が採取口４を閉塞し、この状態で、未固化液採取装置１全体を地盤から上昇させて、未固化液を回収する未固化液回収方法。
【発明の詳細な説明】
【技術分野】
【０００１】
本発明は、基礎杭工事において、杭下端部の根固め、球根造成、杭周辺の固定等の作業における未固化液の採取に使用される未固化液回収装置および未固化液回収方法に係るものである。
【背景技術】
【０００２】
従来、例えば、既製杭埋め込み工法の実施において、根固めの液を地中に注入し、土壌と混合した後、前記根固め液を未固化状態で採取し、該根固め液の土壌との混合撹拌状態を調査して固化後の強度等を予測する品質管理作業を行っている。
この未固化液の採取器は、採取口を油圧シリンダにより開閉する構造のものが知られている（特許文献１・特許文献２）。
また、操作ロッドを上下させて採取口を開閉する構成は、公知である（特許文献３・特許文献４）。
また、バネ弾力により採取口を閉塞し、操作ロッドで採取器を掘削孔底に押し付けて採取口を開き採取する構成は、公知である（特許文献５）。
【先行技術文献】
【特許文献】
【０００３】
【特許文献１】特許５２６６１５１号公報
【特許文献２】特許５６２２５１５号公報
【特許文献３】特許５９９６９２２号公報
【特許文献４】特許５６９００８１号公報
【特許文献５】特開２００１−７３３６０号公報
【発明の概要】
【発明が解決しようとする課題】
【０００４】
前記公知例のうち、特許文献１および特許文献２に記載された構成は、採取口を油圧シリンダにより開閉する構造のため、採取器を目的深さ位置まで下げるのに併せ、油圧ホース等を同時に送る必要があり、採取作業が面倒であるという課題がある。
また、油圧ホース等を掘削ロッドに組み込むと、特殊な掘削ロッドが必要になって、コストが高くなるという課題がある。
また、油圧ホース等を掘削ロッドに沿うように這わせる構成とすると、掘削ロッドに絡むという課題がある。
前記公知例のうち、特許文献３および特許文献４に記載された操作ロッドを上下させて採取口を開閉する構成では、採取器を目的深さ位置まで下げるのに併せ、操作ロッドを同時に送る必要があり、採取作業が面倒であるという課題がある。
前記公知例のうち、特許文献５に記載されたバネ弾力により閉塞した採取口を、操作ロッドで採取器ごと掘削孔底に押し付けて開く構成では、掘削孔底部の未固化液しか採取できないという課題がある。
本発明は、簡単な構成で、かつ、簡単な操作（作業）でありながら、所望深度の未固化液を確実に採取できるようにしたものである。
【課題を解決するための手段】
【０００５】
請求項１の発明は、中空円筒部材により形成したケース２の内側に回収室３を設け、回収室３の採取口４を開閉する開閉部材５をケース２内に上下自在に設け、ケース２内には開閉部材５を機械的機構により上昇または下降させて採取口４の開閉を行う切替操作機構１０を設け、該切替操作機構１０は、開閉部材５を上方または下方に付勢するバネ１８と、ワイヤー２７により自重下降して開閉部材５を上昇または下降させるシンカー２５とを有して構成した未固化液回収装置としたものである。
請求項２の発明は、前記シンカー２５は、開閉部材５側の係合部材１３に係合してバネ１８の弾力に抗して開閉部材５を上昇させる構成とした未固化液回収装置としたものである。
請求項３の発明は、前記開閉部材５は円筒部６と円筒部６に取付けたカバーロッド８により構成し、カバーロッド８の上部には前記係合部材１３を有する中間筒部１１の下部を取付け、係合部材１３を設けた中間筒部１１の上部を前記バネ１８が常時下方に付勢する構成とし、前記バネ１８の弾力に抗して下降する重量に形成したシンカー２５は、一旦下降して前記係合部材１３を下方回動させて係合し、係合状態のシンカー２５を上昇させてバネ１８の弾力に抗して開閉部材５を上昇させる構成とした未固化液回収装置としたものである。
請求項４の発明は、前記ワイヤー２７にはシンカー２５の上部に一体状に接合してシンカー２５と係合部材１３との係合を解除する回収用シンカー２６を設けた未固化液回収装置としたものである。
請求項５の発明は、前記開閉部材５側の上部に設けた上下移動体３７をケース２内を上下移動自在に設け、前記ケース２内に位置不動に設けた支持部材３８と前記上下移動体３７の間に前記開閉部材５を常時上昇方向に付勢する前記バネ１８を設け、前記シンカー２５はバネ１８の弾力に抗して下降する重量に構成した未固化液回収装置としたものである。
請求項６の発明は、中空円筒部材により内側に回収室３を設けたケース２と、ケース２の内側に上下自在に設けた開閉部材５と、開閉部材５を上下させてケース２の採取口４を閉塞状態と開口状態とに切替える採取用シンカー２５と回収用シンカー２６を有して未固化液採取装置１を構成し、開閉部材５を採取口４の内側にバネ１８の弾力により位置させて採取口４を閉塞し、開閉部材５側に設けた筒状の中間筒部１１に軸棒状の採取用シンカー２５を、ウインチ２８が繰り出したワイヤー２７により吊設状態で下降させて挿入し、採取用シンカー２５の係合部を開閉部材５側に設けた係合部材１３に係合させ、係合部材１３に係合状態の採取用シンカー２５をワイヤー２７により牽引上昇させて、開閉部材５をバネ１８の弾力に抗して上昇させることにより採取口４を開口させ、ケース２の回収室３に未固化液を流入させて回収し、次に、ウインチ２８が繰り出したワイヤー２７に別途用意して装着した回収用シンカー２６を下降させて中間筒部１１内に挿入し、回収用シンカー２６に採取用シンカー２５を一体状に接合させて回収用シンカー２６と係合部材１３との係合を解除して、バネ１８の弾力により開閉部材５を下降させて採取口４を閉塞し、この状態で、未固化液採取装置１全体を地盤から上昇させて、未固化液を回収する未固化液回収方法としたものである。
請求項７の発明は、中空円筒部材により内側に回収室３を設けたケース２と、ケース２の内側に上下自在に設けた開閉部材５と、開閉部材５を上下させてケース２の採取口４を閉塞状態と開口状態とに切替えるシンカー２５を有して未固化液採取装置１を構成し、バネ１８の弾力により開閉部材５を常時上昇するように付勢して、ケース２の採取口４を閉塞し、次に、シンカー２５をワイヤー２７により自重で下降させて、開閉部材５側の上部に設けた上下移動体３７に当接させ、バネ１８の弾力より重いシンカー２５の重量によりシンカー２５と開閉部材５とを下降させて、採取口４を開口させ、未固化液を回収室３内に回収し、次に、シンカー２５をワイヤー２７により上方に牽引して、バネ１８の弾力により上下移動体３７を上昇させ、上下移動体３７の上昇により開閉部材５が採取口４を閉塞し、この状態で、未固化液採取装置１全体を地盤から上昇させて、未固化液を回収する未固化液回収方法としたものである。
【発明の効果】
【０００６】
請求項１の発明では、回収室３の採取口４を開閉する開閉部材５を、ケース２内に設けた機械的機構の切替操作機構１０により上下させて採取口４の開閉を行う構成とし、切替操作機構１０は、開閉部材５を上方または下方に付勢するバネ１８と、ワイヤー２７により自重下降して開閉部材５を上昇または下降させるシンカー２５とを有して構成しているので、油圧シリンダを用いることなく、所望深度の未固化液を確実に採取でき、しかも、ケース２を下降させた後に切替操作機構１０を操作すればよいので、採取作業を容易にすることができる。
請求項２の発明では、シンカー２５は、開閉部材５側の係合部材１３に係合してバネ１８の弾力に抗して開閉部材５を上昇させて採取口４を開口させる構成としているので、ケース２の下降操作（作業）と、シンカー２５による採取口４の開口操作とを別個にでき、採取作業を容易にすることができる。
請求項３の発明では、開閉部材５は円筒部６と円筒部６に取付けたカバーロッド８により構成し、カバーロッド８の上部には前記係合部材１３を有する中間筒部１１の下部を取付け、係合部材１３を設けた中間筒部１１の上部をバネ１８が常時下方に付勢する構成とし、前記バネ１８の弾力に抗して下降する重量に形成したシンカー２５は、一旦下降して前記係合部材１３を下方回動させて係合し、係合状態のシンカー２５を上昇させてバネ１８の弾力に抗して開閉部材５を上昇させる構成としているので、ケース２を下降させた後にシンカー２５の下降操作をすればよく、未固化液採取装置１を掘削孔に挿入する際にワイヤー２７を送る必要がなくなって、採取作業を容易にすることができる。
請求項４の発明では、シンカー２５の上部に一体状に接合してこのシンカー２５と係合部材１３との係合を解除する回収用シンカー２６を、ワイヤー２７に設けているので、シンカー２５の上部に回収用シンカー２６を一体状に接合させると、シンカー２５と係合部材１３との係合を解除でき、これにより、未固化液の採取後に採取口４の閉塞操作をすることができ、採取操作および採取作業を容易にすることができる。
請求項５の発明では、バネ１８により上昇方向に付勢された開閉部材５と、開閉部材５側に設けた上下移動体３７と位置不動の支持部材３８とを設け、上下移動体３７と支持部材３８との間にバネ１８を設けているので、一つのシンカー２５により採取口４の開閉操作を行うことができ、これにより、未固化液回収装置を簡単に構成することができる。
請求項６の発明では、油圧シリンダを用いることなく、所望深度の未固化液を確実に採取でき、しかも、ケース２を下降させた後に切替操作機構１０を操作すればよいので、採取作業を容易にすることができる。
請求項７の発明では、バネ１８の弾力により常時上昇するように付勢した開閉部材５によりケース２の採取口４を閉塞し、この開閉部材５を一つのシンカー２５を下降させて採取口４を開口させて未固化液を回収し、シンカー２５を上方牽引して開閉部材５を上動させることにとより採取口４を閉塞するので、簡単な操作で未固化液の回収作業をすることができる。
【図面の簡単な説明】
【０００７】
【図１】ベースマシンおよび未固化液回収装置の側面図。
【図２】未固化液回収装置の作業開始前の縦断側面図。
【図３】開閉部材の側面図。
【図４】係合部材付近の断面図。
【図５】シンカーと回収用シンカーの側面図。
【図６】シンカーを挿入した状態の側面図。
【図７】シンカーの下降状態および係合部材と係合した状態の側面図。
【図８】係合部材と係合したシンカーの上方牽引状態の側面図。
【図９】係合部材と係合したシンカーに回収用シンカーを接合させた状態の側面図。
【図１０】シンカーに接合させた回収用シンカーの上方牽引状態の側面図。
【図１１】未固化液回収装置の他の実施形態の縦断側面図。
【図１２】シンカー挿入前の側面図。
【図１３】シンカーにより採取口を開口させた状態の側面図。
【図１４】シンカーを上方牽引して採取口を閉塞させた状態の側面図。
【発明を実施するための形態】
【０００８】
本発明の一実施形態を図により説明すると、１は未固化液採取装置であり、未固化液採取装置１は既製杭埋め込み工法の実施において、地中に注入した根固め液の土壌との混合状態の未固化液（サンプル）を採取するものである。
未固化液採取装置１は、縦長で円筒部材により形成したケース２内に未固化液を回収する回収室３を形成し、ケース２に形成した土壌の未固化液を採取する採取口４を開閉する開閉部材５を設けて構成している（図２）。
開閉部材５は、ケース２より小径の円筒部材により形成した円筒部６の内周面に上下一対の取付体７を固定している。各取付体７の中心には縦軸芯のカバーロッド８を固定する（図３）。
【０００９】
開閉部材５は、円筒部６をケース２の内周面に密に当接させて上下自在となるようにケース２に取付け、採取口４の内側に円筒部６が位置する閉塞位置と、採取口４よりも上方に円筒部６を位置させて採取口４が開口する開口位置とに切り替わるように構成する。
ケース２内には、開閉部材５を閉塞位置と開口位置とに切り替える切替操作機構１０を設ける。切替操作機構１０は円筒部材により形成した中間筒部１１の下部を開閉部材５のカバーロッド８の上部に取付ける。中間筒部１１の上部にはハウジング１２を設け、ハウジング１２内には一対の係合部材（ストッパ）１３を軸１４により回動自在であって、下方回動はするが所定位置より上方回動しないように設ける（図４）。
この係合部材１３の回動構成は任意であり、例えば、軸１４に係合部材１３の上方回動方向に付勢するバネ１５を設け、このバネ１５により係合部材１３を常時上方回動するように付勢し、係合部材１３の上面がハウジング１２の天板１６の下面に当接して上方回動を規制するようにすればよい。
【００１０】
ハウジング１２の天板１６とケース２の天板部１７との間にはハウジング１２と中間筒部１１と開閉部材５を常時下降するように付勢するバネ１８を設ける（図２）。コイル状のバネ１８の内側には縦状のガイド筒部１９を設け、ガイド筒部１９は下部をハウジング１２の天板１６に起立するように設け、ガイド筒部１９の上部は開放端部に形成している（図２、図４）。
ケース２の天板部１７には外部上側筒部２０の下部を接続する。外部上側筒部２０には上方から前記切替操作機構１０の一部を構成する未固化液の採取操作用の採取用シンカー（シンカー）２５と回収用シンカー２６とを挿入し、採取用シンカー２５により開閉部材５を上昇させて採取口４を開口させ、この採取用シンカー２５を回収用シンカー２６により回収して開閉部材５が採取口４を閉塞する構成としている（図２）。
【００１１】
採取用シンカー２５および回収用シンカー２６は縦長の軸棒形状に形成し、外部上側筒部２０および中間筒部１１内を上下しうる外径に形成する。採取用シンカー２５の上部にはワイヤー２７の一端を係止し、ワイヤー２７の他端はウインチ２８側に係止し、ウインチ２８は施工現場の地盤上面に設置した台座２９に固定状態に設ける。
採取用シンカー２５はバネ１５の弾力に抗して係合部材１３を下方回動させうる重量を有して構成し、ウインチ２８によりワイヤー２７を繰り出すと、採取用シンカー２５の自重で係合部材１３を下方回動させ、一旦、採取用シンカー２５の上部を係合部材１３の下面を通過させて、採取用シンカー２５を上方に牽引すると、採取用シンカー２５の上部が係合部材１３の下面に係合する構成としている。
【００１２】
すなわち、採取用シンカー２５の上部には係合部材１３の下面に係合する係合面３０を設け（図５）、係合部材１３の下面下方位置にまで下降させた採取用シンカー２５をワイヤー２７により上昇させると（図８）、採取用シンカー２５は係合面３０が係合部材１３と係合してロックし、中間筒部１１と開閉部材５をケース２に対して上昇させ、採取口４を開口させる。
これにより、ケース２の回収室３に未固化液が採取口４から進入する。
回収用シンカー２６も採取用シンカー２５と同様にバネ１５の弾力に抗して係合部材１３を下方回動させうる重量を有して構成し、ウインチ２８によりワイヤー２７を繰り出すと、回収用シンカー２６の自重で係合部材１３を下方回動させ、回収用シンカー２６の下部が係合部材１３の下面を通過すると、回収用シンカー２６の下部が採取用シンカー２５の上部に係合する構成としている（図９）。
【００１３】
すなわち、回収用シンカー２６の下部には採取用シンカー２５の上部に嵌合する係合部３５を設け、係合部３５は採取用シンカー２５の係合部３６と係合して回収用シンカー２６と採取用シンカー２５とを一体状にロックする（図５）。
回収用シンカー２６は採取用シンカー２５をワイヤー２７により上昇させることにより、回収用シンカー２６と採取用シンカー２５とは一体状になって係合部材１３（切替操作機構１０）に対して上昇させ、採取用シンカー２５を係合部材１３との係合状態から離脱させる。
これにより、切替操作機構１０のハウジング１２は採取用シンカー２５の支持から開放され、切替操作機構１０のハウジング１２（中間筒部１１）はバネ１８の弾力によりケース２に対して閉塞部材５を下降させ、採取口４を閉塞する。
この状態で、未固化液採取装置１全体を地盤から引き上げると、未固化液の回収作業が終了する。
【００１４】
図１１以下は、他の実施形態を示し、第一実施形態と同じ部材は同一符号を付して説明する。第二実施形態では、開閉部材５のカバーロッド８の上部に上下移動体３７を設け、開閉部材５のカバーロッド８はケース２内に位置固定状態に設けた支持部材３８に上下移動自在に取付け、上下移動体３７と支持部材３８の間のカバーロッド８の周囲にバネ１８を収容し、バネ１８は上下移動体３７ごと開閉部材５を常時上昇するように付勢している。
上下移動体３７にはシンカー２５の下部が挿入される筒部３９を設ける。第二実施形態のシンカー２５はバネ１８の弾力より重い重量に構成している。
第二実施形態では、バネ１８の弾力により開閉部材５を常時上昇するように付勢して、ケース２の採取口４を閉塞し、この状態で、未固化液採取装置１を未固化液の採取を希望する所望深度にまで未固化液採取装置１を下降させる。
【００１５】
次に、シンカー２５をワイヤー２７により自重で下降させると、シンカー２５は上下移動体３７に当接する。
シンカー２５はバネ１８の弾力より重い重量に構成しているので、シンカー２５が下降すると、シンカー２５の自重重量で上下移動体３７を下降させ、開閉部材５による採取口４の閉塞を開放して採取口４を開口させ、未固化液を回収室３内に回収する。
次に、シンカー２５をワイヤー２７により牽引すると、バネ１８の弾力により上下移動体３７を上昇させ、これにより、開閉部材５は採取口４を閉塞し、この状態で、未固化液採取装置１全体を地盤から上昇させて、未固化液を回収する。
【００１６】
しかして、未固化液採取装置１により土壌中の未固化液を採取する手段は任意であるが、以下、一例を示す。図１において、４５は地盤上に設置したベースマシンであり、ベースマシン４５のマスト４６にアースオーガー４７を上下動自在に取付け、アースオーガー４７の掘削ロッド４８の下端に掘削ヘッド（図示省略）を装着して掘削縦孔Ｔを掘削し、未固化液を土壌に注入して地盤改良あるいは杭の施工作業を行い、作業終了後に、アースオーガー４７の掘削ロッド４８を一旦引き上げ、アースオーガー４７の掘削ロッド４８から掘削ヘッドを外し、代わりに、未固化液採取装置１のケース２の天板部１７を取付ける。
そして、アースオーガー４７を下降させて掘削縦孔Ｔに未固化液採取装置１を挿入する。
【００１７】
次に、所定深さ位置まで掘削ロッド４８を挿入すると、地盤上に突き出ている掘削ロッド４８の所定部分に係合部４９を取付け（図８）、この係合部４９の下面に支持部材５０を当てがって支持し、この状態で、未固化液採取装置１のケース２側に接続されている掘削ロッド４８とアースオーガー４７側に接続されている掘削ロッド４８との接続を切り離し、未固化液採取装置１の上方に、ウインチ２８を有する台座２９を設置して未固化液のサンプル回収作業を行う。
すなわち、掘削ロッド４８は、図示は省略するが、掘削縦孔Ｔの採取予定深度に合わせて上下方向に複数継ぎ足して接続可能に構成しており、この上下に複数連結した掘削ロッド４８のうちの地盤上に突き出る掘削ロッド４８部分に係合部４９を取付け、この係合部４９に支持部材５０を当てがって支持し、この状態で、支持部材５０で支持されている掘削ロッド４８とアースオーガー４７側に接続されている掘削ロッド４８との接続を切り離し、支持部材５０で支持されている掘削ロッド４８の上方に、ウインチ２８を有する台座２９を設置して未固化液のサンプル回収作業を行う。
【００１８】
そして、理解を容易にするため、図８、図１０、図１４の掘削ロッド４８に示した斜線部分にて、掘削ロッド４８が、掘削縦孔Ｔの採取予定深度に合わせて上下方向に複数継ぎ足されていること、あるいは、単一の掘削ロッド４８であることを表示しており、掘削ロッド４８の構成は本発明の要件ではない。
また、開閉部材５の上下の各取付体７には、上下方向に貫通する開口孔７Ａをそれぞれ設けている（図３、図１１）。
そのため、開閉部材５が採取口４を閉塞するために回収室３内を上下移動する際に、回収した未固化液を各取付体７の開口孔７Ａにより通過させ、これにより、開閉部材５による採取口４の閉塞を円滑・確実に行える。
【００１９】
（実施形態の作用）
本発明は上記構成であり、地盤所定位置にベースマシン４５を設置して未固化液を土壌に注入して地盤改良あるいは杭を施工する。
未固化液採取装置１は、縦長で円筒部材により形成したケース２内に未固化液を回収する回収室３を形成し、ケース２に形成した土壌の未固化液を採取する採取口４を開閉する開閉部材５を設けて構成しているので、開閉部材５が採取口４の内側に位置する閉塞状態で、マスト４６に対してアースオーガー４７を下降させ、未固化液採取装置１を未固化液の採取を希望する所望深度にまで下降させる（図６）。
所望深度に未固化液採取装置１を下降させたら、ケース２内に設けた開閉部材５を閉塞位置と開口位置とに切り替える切替操作機構１０により開閉部材５を上昇させて採取口４を開口させ（図８）、回収室３内に未固化液を流入させる。
【００２０】
次に、回収室３内に未固化液を流入させると、切替操作機構１０により開閉部材５を下降させ（図９、図１０）、開閉部材５の円筒部６により採取口４を閉塞する。
この状態で、アースオーガー４７を上昇させて、未固化液採取装置１全体を地盤から上昇させて、未固化液を回収する。
したがって、機械的機構による開閉部材５を上下させる切替操作機構１０により、採取口４の開口と閉塞とを操作できるので、ケース２内に油圧機構や油圧ホース等を設けずに、所望深度の未固化液を回収することができ、製造コスト・作業コストを低減することができ、また、未固化液回収作業を容易にすることができる。
また、切替操作機構１０により開閉部材５を上昇させて、ケース２の採取口４の開口と閉塞をさせるので、掘削孔の底部のみならず、中間部分での未固化液の回収を可能にできる。
【００２１】
しかして、未固化液採取装置１の切替操作機構１０は、バネ１８の弾力に抗して開閉部材５を上昇させる採取用シンカー２５と、採取用シンカー２５によって上昇した開閉部材５をバネ１８の弾力を作用させて復帰下降させる回収用シンカー２６とにより構成しているので、機械的構成要素で切替操作機構１０を構成することができ、油圧ホースや操作棒とを組み込んだケース２を用意する必要がなく、未固化液採取装置１の構成を簡素にでき、また、未固化液採取装置１全体の掘削孔内への下降と、切替操作機構１０の操作とを別個に行うことができ、作業性・操作性を向上させることができる。
【００２２】
また、切替操作機構１０は、採取用シンカー２５によりバネ１８の弾力に抗して開閉部材５を上昇させてケース２の採取口４を開口させるので、この点でも、駆動シリンダ等の駆動機構を用いずに、所望深度の未固化液を回収することができる。
また、切替操作機構１０は、未固化液回収後、回収用シンカー２６によりバネ１８の弾力に抗して上昇させた開閉部材５を下降させて復帰させるので、開閉部材５の円筒部６の外周面により採取口４を密閉状態に閉塞でき、回収した未固化液に、セメントミルクや水等の混入を防止でき、未固化液の検出精度を向上させることができる。
【００２３】
すなわち、ケース２内に回収室３を形成し、開閉部材５を上下摺動自在にケース２の内面に密に嵌合させているので、切替操作機構１０の採取用シンカー２５により上方に牽引すると、ケース２の採取口４の側方に位置している開閉部材５の円筒部６は採取口４よりも上方に退避して、採取口４を開口させて、ケース２の回収室３内に未固化液を流入させることができる。
そして、未固化液の回収後に、切替操作機構１０の回収用シンカー２６によりバネ１８を作用状態に復帰させると、開閉部材５はバネ１８の弾力により下降し、開閉部材５の円筒部６の外周面により密閉状態に採取口４が閉塞された状態になるので、回収した未固化液に、他の未固化液が混入することを防止でき、未固化液の検出精度を向上させることができる。
【００２４】
この場合、開閉部材５の円筒部６の外周面には、上下方向に所定間隔をおいて複数のシール部材４０を並設しているので、ケース２の採取口４は採取口４の上下両側にて、シール部材４０によりシールされ、回収未固化液に、異物の混入を防止できる。
また、ケース２の採取口４に対して上下する開閉部材５の円筒部６にシール部材４０を設けているので、通常のオーリング等によりシール部材４０を構成することができ、この点でも、シール性能を向上させることができる。
しかして、ベースマシン４５のアースオーガー４７の掘削ロッド４８の下部に未固化液採取装置１のケース２の天板部１７を取付け、マスト４６に対してアースオーガー４７を下降させ、未固化液採取装置１を未固化液の採取を希望する所望深度にまで下降させる。
【００２５】
所望深度に未固化液採取装置１を下降させたら、掘削した掘削孔上方にウインチ２８の台座２９を設置する。
切替操作機構１０は、開閉部材５のカバーロッド８の上部に天板１６と係合部材１３を有する中間筒部１１の下部を固定状態に取付け、中間筒部１１はバネ１８により常時下降するように付勢され、このバネ１８により下降している中間筒部１１と開閉部材５を上動させる採取用シンカー２５を中間筒部１１に挿入係合させる構成としているので、ウインチ２８によりワイヤー２７を繰出して採取用シンカー２５を下降させて天板部１７の外部上側筒部２０から挿入し、採取用シンカー２５は係合部材１３を下方回動させながら自重で下降し、採取用シンカー２５の上部が係合部材１３の下面を通過すると、採取用シンカー２５の上部が係合部材１３の下面に係合する。
【００２６】
したがって、採取用シンカー２５の上部と係合部材１３の下面との係合状態で、ウインチ２８によりワイヤー２７を牽引すると、採取用シンカー２５が上昇し、この際に採取用シンカー２５は係合部材１３と係合してロックし、中間筒部１１と開閉部材５をケース２に対して上昇させ、採取口４を開口させ、ケース２の回収室３に未固化液が採取口４から進入する。
【００２７】
次に、回収用シンカー２６も採取用シンカー２５と同様にバネ弾力に抗して係合部材１３を下方回動させうる重量を有して構成しているので、回収用シンカー２６の自重で係合部材１３を下方回動させ、回収用シンカー２６の下部が係合部材１３の下面を通過すると、回収用シンカー２６の下部が採取用シンカー２５の上部に嵌合される。
回収用シンカー２６の下部が採取用シンカー２５の上部に挿入されると、回収用シンカー２６は採取用シンカー２５により支持され、採取用シンカー２５の係合面３０は回収用シンカー２６の係合部３５により包囲され、回収用シンカー２６の外周面および採取用シンカー２５の係合面３０は係合部材１３と係合しないので、この状態で、採取用シンカー２５をワイヤー２７により上昇させると、回収用シンカー２６は採取用シンカー２５と一体状のまま係合部材１３に対して上昇し、採取用シンカー２５を係合部材１３から離脱させる。
【００２８】
これにより、切替操作機構１０は、開閉部材５を採取用シンカー２５の支持から開放するので、切替操作機構１０はバネ１８の弾力を中間筒部１１の天板１６に作用させ、ケース２に対して中間筒部１１と開閉部材５を下降させ、採取口４を閉塞する。
また、切替操作機構１０の採取用シンカー２５の下端は下方に至るに従い細くなる円錐形状に形成しているので、採取用シンカー２５の下部が上昇する際に、係合部材１３の上方回動に干渉することなく、採取用シンカー２５による中間筒部１１および開閉部材５の支持解除を円滑に行うことができる。
【００２９】
このように、切替操作機構１０は、ケース２内に設けた開閉部材５を下降させるように付勢するバネ１８と、バネ１８の弾力に抗して開閉部材５を持ち上げる採取用シンカー２５と、係合部材１３と採取用シンカー２５との係合を解除する回収用シンカー２６とにより構成しているので、機械的構成要素で切替操作機構１０を構成することができ、油圧ホースや操作棒とを組み込んだケース２を用意する必要がなく、未固化液採取装置１の構成を簡素にでき、また、ケース２の掘削孔内への下降と、切替操作機構１０の操作とを別個に行うことができ、作業性・操作性を向上させることができる。
また、切替操作機構１０は、バネ１８と、係合部材１３と、採取用シンカー２５および回収用シンカー２６により構成できるので、構成を簡素に実現できる。
また、バネ１８の内側には縦状のガイド筒部１９を設けているので、バネ１８の伸縮および採取用シンカー２５の上下動を案内でき、切替操作機構１０の作動を円滑かつ確実にしている。
【００３０】
図１１以下の他の実施形態では、開閉部材５のカバーロッド８の上部に上下移動体３７を設け、開閉部材５のカバーロッド８はケース２内に設けた支持部材３８に上下移動自在に取付け、上下移動体３７と支持部材３８の間のカバーロッド８の周囲にバネ１８を収容し、バネ１８は上下移動体３７ごと開閉部材５を常時上昇するように付勢し、シンカー２５はバネ１８の弾力より重い重量に構成しているので、バネ１８の弾力により開閉部材５を常時上昇するように付勢して、ケース２の採取口４を閉塞し、この状態で、未固化液採取装置１を未固化液の採取を希望する所望深度にまで未固化液採取装置１を下降させる。
【００３１】
次に、シンカー２５をワイヤー２７により自重で下降させて、シンカー２５が上下移動体３７に当接すると、シンカー２５はバネ１８の弾力より重い重量に構成しているので、さらにシンカー２５を下降させると、ワイヤー２７の自重重量により上下移動体３７を下降させ、上下移動体３７の下降によって開閉部材５による採取口４の閉塞を開放して採取口４を開口させ、未固化液を回収室３内に回収する。
次に、シンカー２５をワイヤー２７により牽引すると、バネ１８の弾力により上下移動体３７を上昇させ、これにより、開閉部材５は採取口４を閉塞し、この状態で、未固化液採取装置１全体を地盤から上昇させて、未固化液を回収する。
【符号の説明】
【００３２】
１…未固化液採取装置、２…ケース、３…回収室、４…採取口、５…開閉部材、６…円筒部、７…取付体、８…カバーロッド、１０…切替操作機構、１１…中間筒部、１２…ハウジング、１３…係合部材、１４…軸、１６…天板、１７…天板部、１８…バネ、１９…ガイド筒部、２０…外部上側筒部、２５…シンカー（採取用シンカー）、２６…回収用シンカー、２７…ワイヤー、２８…ウインチ、２９…台座、３０…係合面、３５…係合部、３６…係合部、３７…上下移動体、３８…支持部材、３９…筒部、４０…シール部材、４５…ベースマシン、４６…マスト、４７…アースオーガー、４８…掘削ロッド。
【図１】
2019019468.tif 000003
【図２】
2019019468.tif 000004
【図３】
2019019468.tif 000005
【図４】
2019019468.tif 000006
【図５】
2019019468.tif 000007
【図６】
2019019468.tif 000008
【図７】
2019019468.tif 000009
【図８】
2019019468.tif 000010
【図９】
2019019468.tif 000011
【図１０】
2019019468.tif 000012
【図１１】
2019019468.tif 000013
【図１２】
2019019468.tif 000014
【図１３】
2019019468.tif 000015
【図１４】
2019019468.tif 000016